(57)【要約】    【課題】      複数の外線電話番号を取得し、複数の電話機を備えた場合に、ＩＰ網に余分なパケットを送出することなく、どの外線電話番号でどの電話機を着信させるかという着信番号のグループ分けができるようにすること。    【解決手段】  複数の電話機を回線接続可能な回線Ｉ／Ｆ回路４０４−１，４０４−２と、ＩＰ網との間の通信を制御するＷＡＮ側Ｅｔｈｅｒ部３０５と、前記ＩＰ網のＣＡサーバー１０１と連携したトランザクション制御にて前記電話機によるＩＰ網経由の通話を実現するＶｏＩＰ制御部３０６とを備え、トランザクション開始リクエストを受信した際に着信番号グループ分けテーブルを参照して、前記トランザクション開始リクエストに含まれる着信番号に対応した電話機に着信要求を行い、いずれかの電話機から応答があった場合にＣＡサーバー１０１に着信可能であることを通知するレスポンスを送出する。  【選択図】      図３
2005244490.tif 000002
【特許請求の範囲】
【請求項１】
複数の電話機を回線接続可能な回線インターフェース手段と、ＩＰ電話におけるネットワークホストの役目を行うサーバーが配置されたＩＰ網との間の通信を制御するネットワーク制御手段と、ＳＩＰを用いて前記サーバーと連携したトランザクション制御を行って前記電話機によるＩＰ網経由の通話を実現するＶｏＩＰ制御手段と、前記回線インターフェース手段に接続された複数の電話機とこれらの電話機に割り当てられた複数の着信番号とを対応付けて記憶した記憶手段と、を具備し、
前記ＶｏＩＰ制御手段は、前記サーバーからトランザクション開始リクエストを受信した際に前記記憶手段を参照し、前記トランザクション開始リクエストに含まれる着信番号に対応した電話機に着信要求を行い、いずれかの電話機から応答があった場合に前記サーバーに着信可能であることを通知するレスポンスを送出することを特徴とするＩＰ電話ゲートウェイ装置。
【請求項２】
前記トランザクション開始リクエストに含まれる着信番号に対応した電話機に対して、前記回線インターフェース手段に接続されているポート番号が若い電話機から順次着信要求を行うことを特徴とする請求項１記載のＩＰ電話ゲートウェイ装置。
【請求項３】
前記トランザクション開始リクエストに含まれる着信番号に対応した電話機に対して、一斉に着信要求を行うことを特徴とする請求項１記載のＩＰ電話ゲートウェイ装置。
【請求項４】
前記トランザクション開始リクエストに含まれる着信番号に対応した電話機に対する着信方法を、前記回線インターフェース手段に接続されているポート番号が若い電話機から順次着信要求を行う順次着信と、全ての電話機に一斉に着信要求を行う一斉着信とに切り替える着信方法切替手段を具備することを特徴とする請求項１記載のＩＰ電話ゲートウェイ装置。
【請求項５】
加入者側に併設した少なくとも１つのアナログ通信機器が接続可能なＳＩＰ対応の複数のＩＰ電話ゲートウェイ装置からなるＩＰ電話システムであって、
いずれか１台の前記ＩＰ電話ゲートウェイ装置を親回線とし、他のＩＰ電話ゲートウェイ装置を子回線とした回線構成をＩＰ網上のサーバーに予め登録し、前記各ＩＰ電話ゲートウェイ装置として請求項１から請求項４のいずれかに記載のＩＰ電話ゲートウェイ装置を用いることを特徴とするＩＰ電話システム。
【請求項６】
ＩＰ電話におけるネットワークホストの役目を行うサーバーが配置されたＩＰ網との間の通信を制御する通信制御ステップと、ＳＩＰを用いて前記サーバーと連携したトランザクション制御を行って回線インターフェース手段に接続された複数の電話機によるＩＰ網経由の通話を実現するＶｏＩＰ制御ステップと、を有し、前記ＶｏＩＰ制御ステップは、前記サーバーからトランザクション開始リクエストを受信し、前記複数の電話機とこれらの電話機に割り当てられた複数の着信番号とを対応付けたテーブルを参照し、前記トランザクション開始リクエストに含まれる着信番号に対応した電話機に着信要求を行い、いずれかの電話機から応答があった場合には前記サーバーに着信可能であることを通知するレスポンスを送出することを特徴とする着信方法。
【請求項７】
前記受信したトランザクション開始リクエストに含まれる着信番号に対応した電話機に対して、前記回線インターフェース手段に接続されているポート番号が若い電話機から順次着信要求を行うことを特徴とする請求項６記載の着信方法。
【請求項８】
前記受信したトランザクション開始リクエストに含まれる着信番号に対応した電話機に対して、一斉に着信要求を行うことを特徴とする請求項６記載の着信方法。
【発明の詳細な説明】
【技術分野】
【０００１】
本発明は、ＳＩＰ（Session Initiation Protocol：セッション開始プロトコル）対応のＩＰ電話ゲートウェイ装置に関し、特に、電話契約者が複数の外線電話番号を取得し、複数の電話機を備えた場合に、どの外線電話番号でどの電話機を着信させるかという着信番号のグループ分け制御を可能にするＩＰ電話ゲートウェイ装置に関する。
【背景技術】
【０００２】
従来、ＩＰ電話システムの運用においては、ダイヤルイン番号等の複数の電話番号を用いる場合、回線毎に電話番号を振り分けるために主装置としてＰＢＸ（Private Branch Exchange:構内交換機)を必要としていた。
【０００３】
また、従来のＩＰ電話システムでは、小規模の運営においてもダイヤルイン番号等を有効活用するにはＰＢＸを用意する必要があった。
【０００４】
このように、従来のＩＰ電話システムにおいては、ＰＢＸを用いないと、ダイヤルイン番号に発呼して当該ダイヤルイン番号に該当する複数の電話機を呼び出すことができなかったため、その運用コストや導入コストが高くなるという問題があった。
【０００５】
そこで、このようなＰＢＸを使用せずに、ダイヤルイン番号に発呼して当該ダイヤルイン番号に該当する複数のＩＰ電話機に対する呼び出しを可能にするインターネット電話装置（ＩＰ電話ゲートウェイ装置）が提案されている（例えば特許文献１参照）。
【０００６】
この従来のＩＰ電話ゲートウェイ装置は、複数の電話端末の電話番号を１つの着信グループの電話番号として設定可能なテーブルを設け、このテーブルに設定された電話番号に応じた複数の電話端末に呼び出しを行うように構成されている。
【０００７】
つまり、このＩＰ電話ゲートウェイ装置においては、発信者側のＩＰ電話機が受信側のＩＰ電話機の電話番号をダイヤルすると、発信者側のＩＰ電話機のダイヤル操作がＩＰ網接続部に送出される。
【０００８】
前記ＩＰ網接続部は、ＩＰ網を介してゲートキーパーに前記電話番号を渡し、前記電話番号に対応するＩＰアドレスを取得する。この取得されたＩＰアドレスは、ＩＰ網に向けて発信される。これにより、前記ＩＰアドレスに応じたＩＰ電話機に着信が伝達される。
【０００９】
ここで、着信者側のＩＰ電話機が他のＩＰ電話機と同一の着信グループに属している場合には、前記着信者側のＩＰ電話機がその着信を同一の着信グループに属している他のＩＰ電話機にも伝達して呼出を可能にする。
【００１０】
このＩＰ電話ゲートウェイ装置によれば、ビジネスホンやＰＢＸのような大掛かりな装置及び配線を必要とすることなく複数のＩＰ電話機を呼び出すことができる。
【特許文献１】特開２００３−２８３６５３号公報
【発明の開示】
【発明が解決しようとする課題】
【００１１】
しかしながら、前記従来のＩＰ電話ゲートウェイ装置においては、それに接続されている複数のＩＰ電話機の電話番号の振り分け及びグループ化をＩＰ網上で行っている。つまり、代表して着信するマスタとなるＩＰ電話機から、同一グループの複数のＩＰ電話機を呼び出す際に、ＩＰ網を介してマスタのＩＰ電話機から他のＩＰ電話機へ発信を行っている。
【００１２】
このため、このような従来のＩＰ電話ゲートウェイ装置では、ＩＰ網上に多数のパケットを送出することになり、ネットワークに負荷がかかるという不具合がある。
【００１３】
本発明は、かかる点に鑑みてなされたもので、ＰＢＸのような大掛かりな装置を用いずに、また、ＩＰ網に余分なパケットを送出することなく、ＩＰ電話ゲートウェイ装置内部で複数の電話番号を各々の電話機に振り分けたりグループ化したりすることができるＩＰ電話ゲートウェイ装置を提供することを目的とする。
【課題を解決するための手段】
【００１４】
かかる課題を解決するため、請求項１記載のＩＰ電話ゲートウェイ装置は、複数の電話機を回線接続可能な回線インターフェース手段と、ＩＰ電話におけるネットワークホストの役目を行うサーバーが配置されたＩＰ網との間の通信を制御するネットワーク制御手段と、ＳＩＰを用いて前記サーバーと連携したトランザクション制御を行って前記電話機によるＩＰ網経由の通話を実現するＶｏＩＰ制御手段と、前記回線インターフェース手段に接続された複数の電話機とこれらの電話機に割り当てられた複数の着信番号とを対応付けて記憶した記憶手段とを具備し、前記ＶｏＩＰ制御手段は、前記サーバーからトランザクション開始リクエストを受信した際に前記記憶手段を参照し、前記トランザクション開始リクエストに含まれる着信番号に対応した電話機に着信要求を行い、いずれかの電話機から応答があった場合に前記サーバーに着信可能であることを通知するレスポンスを送出する構成を採る。
【００１５】
この構成によれば、ＰＢＸのような大掛かりな装置を用いずに、ＳＩＰを用いたＩＰ電話ゲートウェイ装置内部で複数の電話番号を各々の電話機に振り分けたりグループ化したりすることができるようになる。従って、この構成によれば、コストをかけずにＩＰ電話システムを構築することができ、また、ＩＰ網に余分なパケットデータが送出されなくなる。
【００１６】
請求項２記載のＩＰ電話ゲートウェイ装置は、請求項１記載の発明において、前記受信したトランザクション開始リクエストに含まれる着信番号に対応した電話機に対して、前記回線インターフェース手段に接続されているポート番号が若い電話機から順次着信要求を行う構成を採る。
【００１７】
この構成によれば、請求項１記載の発明の効果に加えて、前記回線インターフェース手段に接続されているポート番号が若い電話機から順次着信要求が行われるようになるので、前記電話機の設置場所や受信者の都合に合わせてＩＰ電話システムを構築することができる。
【００１８】
請求項３記載のＩＰ電話ゲートウェイ装置は、請求項１記載の発明において、前記受信したトランザクション開始リクエストに含まれる着信番号に対応した電話機に対して、一斉に着信要求を行う構成を採る。
【００１９】
この構成によれば、請求項１記載の発明の効果に加えて、前記受信したトランザクション開始リクエストに含まれる着信番号に対応した電話機に対して、一斉に着信要求が行われるので、通話が確立されるまでの所要時間を短くすることが可能になる。
【００２０】
請求項４記載のＩＰ電話ゲートウェイ装置は、請求項１記載の発明において、前記トランザクション開始リクエストに含まれる着信番号に対応した電話機に対する着信方法を、前記回線インターフェース手段に接続されているポート番号が若い電話機から順次着信要求を行う順次着信と、全ての電話機に一斉に着信要求を行う一斉着信とに切り替える着信方法切替手段を具備する構成を採る。
【００２１】
この構成によれば、請求項１記載の発明の効果に加えて、全ての電話機に対する着信モードを順次着信モードと一斉着信モードとに切り替えることができるので、ユーザーの使用形態に合ったＩＰ電話システムを選択することができる。
【００２２】
請求項５記載のＩＰ電話システムは、加入者側に併設した少なくとも１つのアナログ通信機器が接続可能なＳＩＰ対応の複数のＩＰ電話ゲートウェイ装置からなるＩＰ電話システムであって、いずれか１台の前記ＩＰ電話ゲートウェイ装置を親回線とし、他のＩＰ電話ゲートウェイ装置を子回線とした回線構成をＩＰ網上のサーバーに予め登録し、前記各ＩＰ電話ゲートウェイ装置として請求項１から請求項４のいずれかに記載のＩＰ電話ゲートウェイ装置を用いる構成を採る。
【００２３】
この構成によれば、前記電話ゲートウェイ装置内部で複数の電話番号を各々の電話機に振り分けたりグループ化したりできるので、低コストのＩＰ電話システムを提供することができる。
【００２４】
請求項６記載の着信方法は、ＩＰ電話におけるネットワークホストの役目を行うサーバーが配置されたＩＰ網との間の通信を制御する通信制御ステップと、ＳＩＰを用いて前記サーバーと連携したトランザクション制御を行って回線インターフェース手段に接続された複数の電話機によるＩＰ網経由の通話を実現するＶｏＩＰ制御ステップと、を有し、前記ＶｏＩＰ制御ステップは、前記サーバーからトランザクション開始リクエストを受信し、前記複数の電話機とこれらの電話機に割り当てられた複数の着信番号とを対応付けたテーブルを参照し、前記トランザクション開始リクエストに含まれる着信番号に対応した電話機に着信要求を行い、いずれかの電話機から応答があった場合には前記サーバーに着信可能であることを通知するレスポンスを送出するようにする。
【００２５】
この方法によれば、前記ＩＰ網を経由せずに複数の電話番号にそれぞれ対応する複数の電話機を着信させることができるようになり、前記ＩＰ網に余分なパケットデータが送出されなくなる。
【００２６】
請求項７記載の着信方法は、請求項６記載の発明において、前記受信したトランザクション開始リクエストに含まれる着信番号に対応した電話機に対して、前記回線インターフェース手段に接続されているポート番号が若い電話機から順次着信要求を行うようにする。
【００２７】
この方法によれば、請求項６記載の発明の効果に加えて、前記回線インターフェース手段に接続されているポート番号が若い電話機から順次着信要求が行われるようになるので、前記電話機の設置場所や受信者の都合に合わせてＩＰ電話システムを構築することができる。
【００２８】
請求項８記載の着信方法は、請求項６記載の発明において、前記受信したトランザクション開始リクエストに含まれる着信番号に対応した電話機に対して、一斉に着信要求を行うようにする。
【００２９】
この方法によれば、請求項６記載の発明の効果に加えて、前記受信したトランザクション開始リクエストに含まれる着信番号に対応した電話機に対して、一斉に着信要求が行われるので、通話が確立されるまでの所要時間を短くすることが可能になる。
【発明の効果】
【００３０】
本発明によれば、ＰＢＸのような大掛かりな装置を用いずに、また、ＩＰ網に余分なパケットデータが送出されることなく、ＳＩＰを用いたＩＰ電話ゲートウェイ装置内部で複数の電話番号と複数の電話機とをグループ化できるので、コストをかけずにＩＰ電話システムを構築することができる。
【発明を実施するための最良の形態】
【００３１】
本発明の骨子は、ＳＩＰを用いてサーバーと連携したトランザクション制御を行って電話機によるＩＰ網経由の通話を実現するＶｏＩＰ制御手段により、前記サーバーからトランザクション開始リクエストを受信した際に、前記トランザクション開始リクエストに含まれる着信先電話番号に対応して記憶される複数の電話機に着信要求を行うようにすることである。
【００３２】
以下、本発明の一実施の形態に係るＩＰ電話ゲートウェイ装置について、図面を参照して詳細に説明する。なお、各図において同一の構成または機能を有する構成要素及び相当部分には、同一の符号を付してその説明は繰り返さない。
【００３３】
図１は、本発明の一実施の形態に係るＩＰ電話ゲートウェイ装置を使用して構築したＩＰ電話システムのネットワーク構成を示す概略構成図である。
【００３４】
図１に示すように、このＩＰ電話システムのネットワークは、ＩＰ電話ゲートウェイ装置１００、ＣＡ（Call Agent）サーバー１０１、ＩＰ網１０２、ゲートウェイ装置１０３、一般電話網１０４などで構成されている。
【００３５】
図１において、ＣＡサーバー１０１は、ＩＰ電話ゲートウェイ装置１００に接続されている電話機がＩＰ網１０２にアクセスしているか否かを管理しており、このＣＡサーバー１０１を介して電話機同士の送受信が行われる。
【００３６】
ゲートウェイ装置１０３は、ＩＰ網１０２と一般電話網１０４との間でのデータのやりとりを処理管理しており、このゲートウェイ装置１０３を介してＩＰ電話機と一般電話機との送受信が行われる。
【００３７】
図２は、本実施の形態に係るＩＰ電話ゲートウェイ装置のＩＰ網への接続構成例を示す概略構成図である。
【００３８】
図２に示すように、ＩＰ電話ゲートウェイ装置１００は、ＡＤＳＬモデム又は回線終端装置などの中継装置２０１に接続され、ＡＤＳＬ回線又は光ファイバを通してＩＰ網１０２とのデータの送受信を行う。
【００３９】
ＩＰ電話ゲートウェイ装置１００には、回線インターフェース手段としての複数の回線ポートが設けられている。本例の回線ポートは、４個のモジュラージャックで構成されている。これらの回線ポートには、アナログ通信機器（アナログ電話機、ファックス、主装置（ＰＢＸ）、ビジネスホン）を接続することができる。
【００４０】
図３は、本実施の形態に係るＩＰ電話ゲートウェイ装置の機能ブロック図である。図３に示すように、ＩＰ電話ゲートウェイ装置１００は、電話制御部３０１、ＰＳＴＮ回線制御部３０２、ＩＰ／ＰＳＴＮ切替え部３０３、ＬＡＮ側Ｅｔｈｅｒ部３０４、ＷＡＮ側Ｅｔｈｅｒ部３０５、ＶｏＩＰ制御部３０６、サーバー部３０７、ＩＰ／ＰＰＰ処理部３０８を有している。
【００４１】
図３において、電話制御部３０１は、アナログ通信機器（アナログ電話機、ファックス、主装置（ＰＢＸ）、ビジネスホン）の電話制御を行う部分である。
【００４２】
ＰＳＴＮ回線制御部３０２は、ＰＳＴＮ（Public Switched Telephone Network）との間で回線制御を行う部分である。本例では、ＩＰ電話ゲートウェイ装置１００が１回線だけ直接ＰＳＴＮに接続しているものとする。
【００４３】
ＩＰ／ＰＳＴＮ切替え部３０３は、電話機がＩＰ網１０２に接続するのかＰＳＴＮに接続するのかを判断して切り替える部分である。
【００４４】
ネットワーク制御手段としてのＬＡＮ側Ｅｔｈｅｒ部３０４は、ＬＡＮとのインターフェースをとる部分である。本例では、ＩＰ電話ゲートウェイ装置１００をローカル側となるＬＡＮに接続可能にしている。
【００４５】
他のネットワーク制御手段としてのＷＡＮ側Ｅｔｈｅｒ部３０５は、ＩＰ網１０２側となるＷＡＮとのインターフェースをとる部分である。本例では、図２に示したように、ＩＰ電話ゲートウェイ装置１００をＡＤＳＬモデム又は回線終端装置などの中継装置２０１を介してＡＤＳＬ回線又は光ファイバにてＷＡＮ側となるＩＰ網に接続している。
【００４６】
ＶｏＩＰ制御部３０６は、ＳＩＰに基づいたトランザクション制御並びに音声のパケット化等の音声データをインターネット及びＩＰ網１０２に流すための処理を行っている部分である。
【００４７】
サーバー部３０７は、ＤＨＣＰ等のプロトコルに基づいて動作し、例えばＬＡＮ側に接続している端末のアドレス管理等を行う部分である。
【００４８】
ＩＰ／ＰＰＰ処理部３０８は、ＬＡＮ及びＷＡＮ（インターネット／イントラネット等）通信で必要なＩＰ及びＰＰＰに関するプロトコル処理を行う部分である。
【００４９】
図４は、上述のような機能構成を有するＩＰ電話ゲートウェイ装置のハードウエア構成図である。図４に示すように、ＩＰ電話ゲートウェイ装置１００は、ＣＰＵ／ＤＳＰ４０１、ＲＯＭ４０２、ＲＡＭ４０３、回線Ｉ／Ｆ回路４０４−１，４０４−２、ＮＣＵ（ＤＡＡ）４０５などを備えている。
【００５０】
図４において、ＣＰＵ／ＤＳＰ４０１には、内部バスを介してＲＯＭ４０１，ＲＡＭ４０３が接続されている。また、ＣＰＵ／ＤＳＰ４０１には、回線Ｉ／Ｆ回路４０４−１，４０４−２、及びＮＣＵ（ＤＡＡ）４０５が接続されている。
【００５１】
ＣＰＵ／ＤＳＰ４０１は、ＲＯＭ４０２に格納しているプログラムに基づいて後述するＳＩＰインターフェース制御を実行する。また、必要に応じてＲＡＭ４０３を作業用エリアとして使用する。
【００５２】
回線Ｉ／Ｆ回路４０４−１，４０４−２は、アナログ通信機器（アナログ電話機、ファックス、主装置（ＰＢＸ）、ビジネスホン）が接続されるポートをそれぞれ２回線備えており、全部で４回線分の端末が接続可能に構成されている。すなわち、本例では、１台のＩＰ電話ゲートウェイ装置１００で４回線確保していて、同時に４台の電話機でＩＰ電話が可能になっている。なお、同時に接続可能な回線数は適宜設計変更可能である。
【００５３】
ＮＣＵ（ＤＡＡ）４０５は、図３におけるＰＳＴＮ回線制御部３０２のハードウエア部分である。図３におけるＶｏＩＰ制御部３０６の音声パケット化に関する処理は、ＣＰＵ／ＤＳＰ４０１のＤＳＰ部分で一部ハードウエア化している。
【００５４】
図５は、ＩＰ電話ゲートウェイ装置とＣＡサーバーとの運用構成例を示している。図５に示す運用構成においては、１つのＩＰ電話ゲートウェイ装置１００の回線ポートに、４台の電話機１，電話機２，電話機３，電話機ｎを接続して回線構成を構築している。
【００５５】
図６は、本実施の形態に係るＩＰ電話ゲートウェイ装置の内部テーブルの説明図である。ＩＰ電話ゲートウェイ装置１００は、着信番号をグループ分けしたテーブルを有している。ここでは、３つの電話番号「xx-yyyy-zzzz」,「yy-zzzz-xxxx」,「zz-xxxx-yyyy」の着信番号グループ分けテーブルについて説明するが、これに限定されるものではない。
【００５６】
図６（ａ）に示すように、この着信番号グループ分けテーブルにおいては、電話機１は、「xx-yyyy-zzzz」,「yy-zzzz-xxxx」,「zz-xxxx-yyyy」の全ての電話番号で着信するように設定されている。電話機２は、「xx-yyyy-zzzz」の電話番号のみで着信するように設定されている。電話機３は、「yy-zzzz-xxxx」の電話番号のみで着信するように設定されている。電話機ｎは、「zz-xxxx-yyyy」の電話番号のみで着信するように設定されている。
【００５７】
ＩＰ電話ゲートウェイ装置１００は、前記回線ポートに接続された全ての電話機１，電話機２，電話機３，電話機ｎに対する着信方法を、ポート番号が若い回線ポートに接続されている電話機から順次着信要求を行う順次着信と、全ての電話機に一斉に着信要求を行う一斉着信とに切り替える着信方法切替手段としてのスイッチを備えている。なお、順次着信の際にポート番号の大きな回線ポートに接続されている電話機から順次着信を行うようにしても構わない。
【００５８】
また、このＩＰ電話ゲートウェイ装置１００は、図６（ｂ）に示すように、その着信方法が順次着信であるか一斉着信であるかを判断するためのテーブルを有している。
【００５９】
次に、以上のように構成したＩＰ電話ゲートウェイ装置１００の着信時の動作について説明する。
【００６０】
図７は、ＩＰ電話ゲートウェイ装置の着信時の制御フロー図である。図７のステップＳ７０７からステップＳ７１６は、着信方法が順次着信である場合の流れである。図８に示すシーケンスを参照しながら説明する。
【００６１】
図８において、発信者側のＩＰ電話ゲートウェイ装置１００は、発信者側の電話機から相手先ダイヤルがあると、ＣＡサーバー１０１に対してトランザクション開始リクエストであるＩＮＶＩＴＥを送る。図９は、ＩＮＶＩＴＥの記述例である。ＩＮＶＩＴＥには、この例では、「xxyyyyzzzz」という着信先の電話番号と「aaabbbccc」という発信者の電話番号が含まれている。
【００６２】
このＩＮＶＩＴＥを受けたＣＡサーバー１０１は、発信者側のＩＰ電話ゲートウェイ装置１００に対してレスポンス（１００Ｔｒｙｉｎｇ）を返し、さらに発信側のＩＰ電話ゲートウェイ装置に対して認証を要求する４０７ＰｒｏｘｙＡｕｔｈｅｎｔｉｃａｔｉｏｎ  Ｒｅｑｕｉｒｅｄを通知する。
【００６３】
これにより、発信者側のＩＰ電話ゲートウェイ装置１００は、ＣＡサーバー１０１に対してＡＣＫを返した後、４０７ＰｒｏｘｙＡｕｔｈｅｎｔｉｃａｔｉｏｎ Ｒｅｑｕｉｒｅｄで受信した暗号キーを元にアカント情報をデコードした認証ヘッダ付のＩＮＶＩＴＥを送信する。
【００６４】
ＣＡサーバー１０１は、発信者側のＩＰ電話ゲートウェイ装置１００から受信したＩＮＶＩＴＥを受け付けると、発信者側のＩＰ電話ゲートウェイ装置１００に対してはレスポンス（１００Ｔｒｙｉｎｇ）を返し、着信者側のＩＰ電話ゲートウェイ装置１００に対して図９に示すＩＮＶＩＴＥを送信する。
【００６５】
着信者側のＩＰ電話ゲートウェイ装置１００は、ＣＡサーバー１０１から発信者側のＩＰ電話ゲートウェイ装置が発したＩＮＶＩＴＥを受信することにより、着信発生を検出する（ステップＳ７０１）。
【００６６】
着信者側のＩＰ電話ゲートウェイ装置１００は、着信発生を検出した場合は、ＣＡサーバー１０１に対してレスポンス（１００Ｔｒｙｉｎｇ）を返す（ステップＳ７０２）。そして、ＩＮＶＩＴＥのＴｏヘッダから着信番号を確認する（ステップＳ７０３）。
【００６７】
次いで、着信者側のＩＰ電話ゲートウェイ装置１００は、ＩＮＶＩＴＥのＴｏヘッダで確認した着信番号に該当する接続電話機を、図６（ａ）に示した着信番号グループ分けテーブルを参照して抽出する（ステップＳ７０４）。
【００６８】
また、着信者側のＩＰ電話ゲートウェイ装置１００は、図６（ｂ）に示した着信方法テーブルを参照し（ステップＳ７０５）、着信方法が順次着信であるか否か判断する（ステップＳ７０６）。ここで、着信方法が順次着信であることが検出された場合には、着信者側のＩＰ電話ゲートウェイ装置１００は、ポート番号が一番若い回線の電話機が使用可能であるか否か判断する（ステップＳ７０７）。例えば、ＩＮＶＩＴＥに含まれる着信先の電話番号が「xxyyyyzzzz」である場合、図６（ａ）のテーブルからわかるように電話機１と電話機２が着信することになる。電話機１のポート番号が電話機２のものより小さいとき、まず電話機１が使用可能であるか否か判断する。
【００６９】
話中などで電話機１が使用可能でない場合、着信者側のＩＰ電話ゲートウェイ装置１００は、次のポート番号に接続された電話機があるか否かを判断し（ステップＳ７０８）、該当する電話機がない場合には、電話機が使用中であることを知らせる処理を行う（ステップＳ７０９）。ここでは、電話機２が該当するので、着信者側のＩＰ電話ゲートウェイ装置１００は、電話機２が使用可能であるか否か判断する（ステップＳ７１０）。
【００７０】
そして、該当する電話機が使用可能である場合には、着信者側のＩＰ電話ゲートウェイ装置１００は、該当電話機に鳴動要求を行い（ステップＳ７１１）、１８０ＲｉｎｇｉｎｇをＣＡサーバー１０１に送出する（ステップＳ７１２）。この状態で、該当する電話機がフックオフ（ＨＯＯＫ  ＯＦＦ）したか否かを検出する（ステップＳ７１３）。
【００７１】
ここで、該当する電話機のフックオフが検出された場合には、着信者側のＩＰ電話ゲートウェイ装置１００は、ＣＡサーバー１０１に２００ＯＫを送出する（ステップＳ７１４）。そして、着信者側のＩＰ電話ゲートウェイ装置１００は、発信者側のＩＰ電話ゲートウェイ装置１００から発したＡＣＫを受信したか否か判断し（ステップＳ７１５）、ＡＣＫを受信した場合には、ＶｏＩＰ通話処理が行われる（ステップＳ７１６）。
【００７２】
図８に示すように、発信者側のＩＰ電話ゲートウェイ装置１００から着信者側の電話機に対する着信要求は、ＲＩＮＧ鳴動させることによって行われる。着信者側の電話機に着信要求している間は、１８０ＲｉｎｇｉｎｇがＣＡサーバー１０１に送出される。この１８０Ｒｉｎｇｉｎｇは、ＣＡサーバー１０１から発信者側のＩＰ電話ゲートウェイ装置１００に転送される。この１８０Ｒｉｎｇｉｎｇは、発信者側のＩＰ電話ゲートウェイ装置１００から発信者側の電話機に対してリングバックトーン（ＲＢＴ）として送信される。
【００７３】
この状態で、着信者側の電話機がフックオフすると、着信者側のＩＰ電話ゲートウェイ装置１００は、ＣＡサーバー１０１に２００ＯＫを送出し、ＣＡサーバー１０１から発信者側のＩＰ電話ゲートウェイ装置１００に２００ＯＫが転送される。そして、発信者側のＩＰ電話ゲートウェイ装置１００から発したＡＣＫを着信者側のＩＰ電話ゲートウェイ装置１００が受信すると通話が開始する。
【００７４】
この通話中に、発信者側又は着信者側のどちらか一方の電話機がフックオン（ＨＯＯＫ  ＯＮ）すると終話処理が行われる。図８の例では、発信者側の電話機がフックオンした場合を示している。
【００７５】
すなわち、発信者側のＩＰ電話ゲートウェイ装置１００は、発信者側の電話機のフックオンを検知するとＣＡサーバー１０１にＢＹＥを送信する。このＢＹＥを受信したＣＡサーバー１０１は、着信者側のＩＰ電話ゲートウェイ装置１００にＢＹＥを転送する。
【００７６】
そして、着信者側のＩＰ電話ゲートウェイ装置１００は、転送されたＢＹＥを受信すると、着信者側の電話機に対してビジートーンを送出する。このビジートーンを受けて着信者側の電話機がフックオンすると、着信者側のＩＰ電話ゲートウェイ装置１００は、ＣＡサーバー１０１に２００ＯＫを送出し、ＣＡサーバー１０１から発信者側のＩＰ電話ゲートウェイ装置に２００ＯＫが転送される。
【００７７】
次に、ＩＰ電話ゲートウェイ装置１００の着信時の一斉着信処理動作について説明する。
【００７８】
図１０は、ＩＰ電話ゲートウェイ装置の一斉着信処理ルーチンの制御フロー図である。この一斉着信処理ルーチンは、図７に示したステップＳ７０６の着信方法の判断で、一斉着信であることが検出された場合に実行される。図１１に示すシーケンスを参照しながら説明する。
【００７９】
図１１において、発信者側のＩＰ電話ゲートウェイ装置１００は、発信者側の電話機から相手先ダイヤルがあると、ＣＡサーバー１０１に対して図９に示すＩＮＶＩＴＥを送る。
【００８０】
このＩＮＶＩＴＥを受けたＣＡサーバー１０１は、発信者側のＩＰ電話ゲートウェイ装置１００に対してレスポンス（１００Ｔｒｙｉｎｇ）を返し、さらに発信側のＩＰ電話ゲートウェイ装置に対して認証を要求する４０７ＰｒｏｘｙＡｕｔｈｅｎｔｉｃａｔｉｏｎ  Ｒｅｑｕｉｒｅｄを通知する。
【００８１】
これにより、発信者側のＩＰ電話ゲートウェイ装置１００は、ＣＡサーバー１０１に対してＡＣＫを返した後、４０７ＰｒｏｘｙＡｕｔｈｅｎｔｉｃａｔｉｏｎ  Ｒｅｑｕｉｒｅｄで受信した暗号キーを元にアカウント情報をデコードした認証ヘッダ付のＩＮＶＩＴＥを送信する。
【００８２】
ＣＡサーバー１０１は、発信者側のＩＰ電話ゲートウェイ装置１００から受信したＩＮＶＩＴＥを受け付けると、発信者側のＩＰ電話ゲートウェイ装置１００に対してはレスポンス（１００Ｔｒｙｉｎｇ）を返し、着信者側のＩＰ電話ゲートウェイ装置１００に対して図９に示すＩＮＶＩＴＥを送信する。
【００８３】
着信者側のＩＰ電話ゲートウェイ装置１００は、ＣＡサーバー１０１から発信者側のＩＰ電話ゲートウェイ装置が発したＩＮＶＩＴＥを受信することにより、ＣＡサーバー１０１に対してレスポンス（１００Ｔｒｙｉｎｇ）を返す。
【００８４】
次いで、着信者側のＩＰ電話ゲートウェイ装置１００は、ＩＮＶＩＴＥのＴｏヘッダで確認した着信番号に該当する接続電話機を、図６（ａ）に示した着信番号グループ分けテーブルを参照して抽出する。
【００８５】
また、着信者側のＩＰ電話ゲートウェイ装置１００は、図６（ｂ）に示した着信方法テーブルを参照して、該当する全ての電話機に着信要求を行う。
【００８６】
このようにして一斉着信処理が開始されると、図１０に示すように、使用可能な該当電話機があるか否かを判断する（ステップＳ１００１）。ここで、使用可能な電話機がない場合には、該当する電話機が使用中であることを知らせる処理を行う（ステップＳ１００２）。
【００８７】
そして、使用可能な電話機がある場合には、着信者側のＩＰ電話ゲートウェイ装置１００は、使用可能な複数の電話機に一斉に鳴動要求を行い（ステップＳ１００３）、１８０ＲｉｎｇｉｎｇをＣＡサーバー１０１に送出する（ステップＳ１００４）。この状態で、いずれかの電話機がフックオフ（ＨＯＯＫ  ＯＦＦ）したか否かを検出する（ステップＳ１００５）。
【００８８】
ここで、いずれかの電話機のフックオフが検出された場合には、着信者側のＩＰ電話ゲートウェイ装置１００は、他の電話機の鳴動を停止し（ステップＳ１００６）、ＣＡサーバー１０１に２００ＯＫを送出する（ステップＳ１００７）。
【００８９】
そして、着信者側のＩＰ電話ゲートウェイ装置１００は、発信者側のＩＰ電話ゲートウェイ装置１００から発したＡＣＫを受信したか否か判断し（ステップＳ１００８）、ＡＣＫを受信した場合には、ＶｏＩＰ通話処理が行われる（ステップＳ１００９）。本例では、ＩＮＶＩＴＥに含まれる着信先の電話番号が「xxyyyyzzzz」である場合、図６（ａ）のテーブルからわかるように電話機１と電話機２が着信する電話機であるので、電話機１と電話機２に一斉に着信要求を行い、先にフックオフしたほうの電話機が通話することになる。
【００９０】
図１１に示すように、発信者側のＩＰ電話ゲートウェイ装置１００から着信者側の電話機に対する着信要求は、ＲＩＮＧ鳴動させることによって行われる。着信者側の電話機に着信要求している間は、１８０ＲｉｎｇｉｎｇがＣＡサーバー１０１に送出される。この１８０Ｒｉｎｇｉｎｇは、ＣＡサーバー１０１から発信者側のＩＰ電話ゲートウェイ装置１００に転送される。この１８０Ｒｉｎｇｉｎｇは、発信者側のＩＰ電話ゲートウェイ装置１００から発信者側の電話機に対してリングバックトーン（ＲＢＴ）として送信される。
【００９１】
この状態で、着信者側の電話機がフックオフすると、着信者側のＩＰ電話ゲートウェイ装置１００は、ＣＡサーバー１０１に２００ＯＫを送出し、ＣＡサーバー１０１から発信者側のＩＰ電話ゲートウェイ装置１００に２００ＯＫが転送される。そして、発信者側のＩＰ電話ゲートウェイ装置１００から発したＡＣＫを着信者側のＩＰ電話ゲートウェイ装置１００が受信すると通話が開始する。
【００９２】
この通話中に、発信者側又は着信者側のどちらか一方の電話機がフックオン（ＨＯＯＫ  ＯＮ）すると終話処理が行われる。図１１の例では、発信者側の電話機がフックオンした場合を示している。
【００９３】
すなわち、発信者側のＩＰ電話ゲートウェイ装置１００は、発信者側の電話機のフックオンを検知するとＣＡサーバー１０１にＢＹＥを送信する。このＢＹＥを受信したＣＡサーバー１０１は、着信者側のＩＰ電話ゲートウェイ装置１００にＢＹＥを転送する。
【００９４】
そして、着信者側のＩＰ電話ゲートウェイ装置１００は、転送されたＢＹＥを受信すると、着信者側の電話機に対してビジートーンを送出する。このビジートーンを受けて着信者側の電話機がフックオンすると、着信者側のＩＰ電話ゲートウェイ装置１００は、ＣＡサーバー１０１に２００ＯＫを送出し、ＣＡサーバー１０１から発信者側のＩＰ電話ゲートウェイ装置に２００ＯＫが転送される。
【００９５】
このように、このＩＰ電話ゲートウェイ装置１００においては、ＰＢＸのような大掛かりな装置を用いずに、また、ＩＰ網１０２に余分なパケットデータを送出することなく、ＳＩＰを用いたＩＰ電話ゲートウェイ装置内部で複数の電話番号と複数の電話機とをグループ化することができるようになる。従って、このＩＰ電話ゲートウェイ装置１００によれば、コストをかけずにＩＰ電話システムを構築することができる。
【産業上の利用可能性】
【００９６】
本発明に係るＩＰ電話ゲートウェイ装置は、ＩＰ網１０２に余分なパケットデータが送出されないのでＩＰ網に負荷をかけることなく、電話契約者が複数の外線電話番号を取得し、複数の電話機を備えた場合に、どの外線電話番号でどの電話機を着信させるかという着信番号のグループ分け制御を可能にするＩＰ電話ゲートウェイ装置として有用である。
【図面の簡単な説明】
【００９７】
【図１】本発明の一実施の形態に係るＩＰ電話ゲートウェイ装置を使用して構築したＩＰ電話システムのネットワーク構成を示す概略構成図
【図２】本発明の一実施の形態に係るＩＰ電話ゲートウェイ装置のＩＰ網への接続構成例を示す概略構成図
【図３】本発明の一実施の形態に係るＩＰ電話ゲートウェイ装置の機能ブロック図
【図４】本発明の一実施の形態に係るＩＰ電話ゲートウェイ装置のハードウエア構成図
【図５】本発明の一実施の形態に係るＩＰ電話ゲートウェイ装置とＣＡサーバーとの運用構成図
【図６】（ａ）は本発明の一実施の形態に係るＩＰ電話ゲートウェイ装置内部の着信番号グループ分けテーブルの説明図、（ｂ）は本発明の一実施の形態に係るＩＰ電話ゲートウェイ装置内部の着信方法を判断するテーブルの説明図
【図７】本発明の一実施の形態に係るＩＰ電話ゲートウェイ装置の着信時の制御フロー図
【図８】本発明の一実施の形態に係るＩＰ電話ゲートウェイ装置を使用して構築したＩＰ電話システムにおける順次着信方法による発信から着信までの一般的な全体シーケンス図
【図９】発信者側の電話機から相手先ダイヤルがあった場合にＣＡサーバーに対して送られるＩＮＶＩＴＥの記述例
【図１０】本発明の一実施の形態に係るＩＰ電話ゲートウェイ装置の一斉着信処理ルーチンの制御フロー図
【図１１】本発明の一実施の形態に係るＩＰ電話ゲートウェイ装置を使用して構築したＩＰ電話システムにおける一斉着信方法による発信から着信までの一般的な全体シーケンス図
【符号の説明】
【００９８】
１００  ＩＰ電話ゲートウェイ装置
３０１  電話制御部
３０２  ＰＳＴＮ回線制御部
３０３  ＩＰ／ＰＳＴＮ切替え部
３０４  ＬＡＮ側Ｅｔｈｅｒ部
３０５  ＷＡＮ側Ｅｔｈｅｒ部
３０６  ＶｏＩＰ制御部
３０７  サーバー部
４０１  ＣＰＵ／ＤＳＰ
４０２  ＲＯＭ
４０３  ＲＡＭ
４０４−１，４０４−２  回線Ｉ／Ｆ回路
４０５  ＮＣＵ（ＤＡＡ）
【図１】
2005244490.tif 000003
【図２】
2005244490.tif 000004
【図３】
2005244490.tif 000005
【図４】
2005244490.tif 000006
【図５】
2005244490.tif 000007
【図６】
2005244490.tif 000008
【図７】
2005244490.tif 000009
【図８】
2005244490.tif 000010
【図９】
2005244490.tif 000011
【図１０】
2005244490.tif 000012
【図１１】
2005244490.tif 000013